(57)【要約】【課題】自立運動用長椅子手すりを使用することは、和室畳部屋から直接二階へ階段がある場合、ふとんからはいだして階段を一〜二段上り、向きを買えて手すりにつかまり立ち上がり後、歩行する動作を、畳上のふとんの近くでも一人で出来るように、床や和室畳上のどの位置にも使用出きるように小さくまとめた装置を使い自立運動補助を提供する。【解決手段】長椅子と手すりを固着し、床や畳上でも安定した成形で固定や移動ができ、近くで寝ている状態の人がこれを使用し、はい上がりや歩行ができ、自立と運動ができることを特徴とする。【選択図】図１
2005052586.tif 000002
【特許請求の範囲】
【請求項１】
床や畳上（１１）のふとんの近くに置かれた着脱のできる長椅子（１）と手すり（２）で、床や畳との間でも固定や移動ができる長椅子付手すりであって、畳上での接点の安定板（５）とこれを包む（６）と、包んだ上部より固定ピン（７）を使用し固定からなり、上記手すり（２）は縦方向に２本の滑り止めのついた支柱手すり（１０）を持ち、横方向には縦方向の上部と長椅子座板より肘掛ともなる高さで（１０）をつなぐ横貫手すり（３）をもち、長椅子座とほぼ同じ高さの横抜き手すり（１４）とさらに低い横貫手すり（１２）と（６）と接する横貫を配置し、長椅子（１）は、座板（９）は親指と残り４本の指でしっかりつかめる小口形状で、上面は手の平の力を伝え易い仕上げとなっていて、座板のやや下部に前台輪（８）横手すりと後台輪（８）があり、長椅子の４本の支柱と手すり側と反対側面は（６）と接する横貫を配置し、はしご形手すりと階段踊り場形長椅子を交差させ一体化し固定移動できることを特徴とする自立運動用長椅子付手すり。
【請求項２】
上記組み合わせを利用して、使用者にも安心した体重移動による不安感を取り除き、ふとんからの自立歩行や長椅子や縦の手すりを利用したリハビリをする事を特徴とする、ふとんからの自立運動用長椅子付手すり。
【発明の詳細な説明】
【発明の詳細の説明】
【技術分野】
【０００１】本発明は和室畳上のふとんの近くに置かれたのはしご形や階段踊り場形を小さく組み合わせた長椅子付手すりを利用してふとんから長椅子にはい上がり向きを変えて座り、手すりや長椅子を使用し、歩行やリハビリに適した自立運動用長椅子手すり。
【背景技術】
【０００２】和室の場合は、縦横の手すりは柱に固定するか、または補強した壁面固定と決まっている、他にふとんに差し込む座いす形の背もたれ手すりもあるが高さも低く、立ちあがる為の仕様ではない。畳ふとん上からはい上がり歩行運動を補うものではない。【０００３】
【特許文献１】特願平１１−１２２２０４（１図）  特願平１１−２８１２２９（１図）  特願平９−１６３８６２（１図）
【非特許文献１】
【発明が解決するための課題】
【０００４】イ）手すりの形には、立ったり座ったりする時の電車内の縦の手すりがあり、地震事用の転倒防止家具タイプの形で、洋間のように床と天井間で突っ張る形で固定が出来るが、和室の畳と  さお縁天井間では固定は出来ない。
ロ）ふとんに差し込む座卓手すりは高さも低く立ちがる為の仕様ではないため、ふとんから横滑りタイプで、最近では見られなくなった。
ハ）椅子は和室畳上では安定せず転がり易いし、椅子の脚が点で畳に受けるため、畳に重さの後が残り椅子を畳の上でずらすと井草表が切れてしまい固定は難しく安定はしずらい。
ニ）床弥畳からはい上がり、歩くまでの自立や運動の出来る装置は無かった。
本発明はこれらの欠点を解決するためになされたものである。
【課題を解決するための手段】
【０００５】和室畳部屋から直接二階へ階段がある場合、ふとんからはいだして階段を一〜二段上り、向きを買えて手すりにつかまり立ち上がり後、歩行する動作を、畳上のふとんの近くでも一人で出来るように長椅子と手すりを組み合わせ交差した状態にする事で畳面との間を安定させ、ふとんから長椅子の座板下部前台輪手すり（８）や手すり部（１２）は小学生が上る階段の高さ一段分の高さになっていて二段目の高さは座板上面や手すり（１２）の高さになっている、この手すりと階段上面にあたる座板面であり、小口は座板（９）は親指と残り４本の指でしっかりつかめる小口形状で、上面は手の平の力を伝え易い仕上げとなっている。交差した手すりと長椅子は、これを交互に使用し体重移動しながらはい上がっても不安を取り除け介護から自立へ、体の弱い人、足の不自由な人は人間工学からの体の重心の移動による高さや握り易さから不安を感じず、さらに手のひらや肘、肩の力を長椅子座面（９）上まではい上がり、手を（９）から手すり（１０）に持ち替えながら向きを変えて座る、また座った状態での膝のリハビリは自立意識運動に芽生え、手すり（２）を使用して体のバランス運動の補助手すりとして使用できる。本発明は、以上の構成からなる長椅子付手すりを使い畳上でも固定移動のできる自立と運動を補う装置である。
【発明を実施するための最良の形態】
【０００６】以下本発明の実施の形態について説明する。
イ）      長椅子（１）の間口は手すりを含め畳の奥行相当とする、高さは建築基準法法による小学校の階段の２段分前後とし、一般の椅子の高さより低い高さとし、奥行は高さと同程度とする。座板（９）は手の親指と残り四本の指でしっかりと掴める小口形状であり上面は手の平の力を伝えやすい仕上げになっている。座板（９）と畳面までのほぼ中間の高さに、横手すりとして使用する前台輪（８）と後台輪（８）があり見付、見込共３３ｍｍ〜３６ｍｍとし使用者の体重相当にも耐える強度を有している。手すり（２）は  建具枠形状で見付、見込共３３ｍｍ〜３６ｍｍとし、高さは衣桁の高さ以下とし、間口は長椅子の奥行の１，５〜３倍の奥行を有し、長椅子の片側面の脚部、座板（９）、貫の何れか又すべてを長椅子と密接している。手すり（２）縦方向に２本の滑り止めのついた支柱手すり（１０）をもち縦の二本の支柱手すりを頼りながら歩くことができるように手首を回転したり手の平を握ったり緩めたりしても滑り図らい表皮となっていて、横方向には縦方向上部と長椅子座板に座った時の肘掛ともなる高さ１５ｃｍ〜３０ｃｍ以内で（１０）をつなぐ横貫手すり（３）を持ち、長椅子の座板とほぼ同じ高さの手すり（１４）と床から座板までのほぼ中間の高さの（１２）前台輪である横手すりとをつなぐ縦の手すり（１３）を有し、前面の長椅子の手すり（８）に対して交差する形のため在来の壁用Ｌ形手すりや回転手すりの運動とは異なり、固定された肘掛と手すり状となり、ランダムに手の平や肘で体重を乗せ重心位置を移動してもはい上がり易いかたちとなっている。畳（１１）に接する手すりと長椅子部分との横貫は安定板（６）と接していて、安定板は厚さ３ｍｍ以下で回りを歩いた時つまずきずらい厚さになっていて、手すりの安定板は奥行とほぼ同じ長さで、長椅子の安定板は手すりの奥行の長さととほぼ同じで、（６）は畳のときは（５）で包み自立運動用長椅子付手すりの回りを歩いたときのつまずきずらさに加え、固定に御座をを止めるピンを安定板を包んである（６）を貫いて畳と固定する。半畳畳の１０〜１５ｍｍの薄い畳は両面粘着テープで固定する。安定板（５）を包む材料は畳のときは布や樹脂で包む。手すりと長椅子は脱着でき、
【図２】
に示すように左右に手すりを備え足の特に弱い人の障害用もある。
本発明は以上のような構造でこれを使用する。
【発明の効果】
【０００７】長椅子と手すりを組み合わせて床や畳の上でも安定した形になり、固定でき、和室において柱まではって手すりにつかまりながら立ち上がらなくても、床や畳の場所を選ばず、足や体力の弱った人に手すりを設置することが出来る。長椅子と手すりの組み合わせにより床や畳に近い低い高さから長椅子の座面に向かってはい上がり易い高さの手すりが設置できる。手すりは左右対称になっていているため置き方で右半身障害、左半身障害にも対応できる他に正面長椅子の前台輪（８）と交差する形になっていて、肘や手の力を水平方向や段差を持った手すり形状によりランダムに伝えやすく、さらにつかみ易い位置や形状のため重心移動に安定感を感じさせ、はい上がった時に向きを変え座り易くまた立ちあがり易く、不安を感じさせない。長椅子付手すりは２つを脱着出きるだけでなく、２つを固着し、和室の手すりと長椅子を組み合わせで交差された形で、歩く方向も（１０）縦の手すりを使い導いてくれる。長椅子の手すりと離れた隅の位置に座り尻を座板上で廻しながら足も同じように腰といっしょについて床や畳上を廻すと膝の弱い人は膝の屈伸運動にもなり、リハビリとなる。
三日間布団に寝たままになり起上れなくなってしまうった人、足の弱くなった人が家族にいると、すぐに介護ベッドを薦めるが、介護ベッドの奥行は最小８３ｃｍ幅のため、寝返りをすると柵にあたり、柵がないと床へ転げ落ちてしまうのでベッドメーカー販売の介護ベッドの床に並べる衝撃暖和マットレスまで使うのは危険と考えている人、また展示場でしか見られない電車の縦の手すりをベッド金具に固定したようなベッド手すりをためらっている人が独力で、ふとんの側の長椅子付手すりを使って家の内外を問わず歩くきっかけとなり自立歩行や運動をめざす。
畳敷きの多い地方の家庭で、ふとんからの自立歩行を願っている人や、都会で一人暮しが長く老後の介護も出来るだけ自立したいと考えている人に運動補助具になる。
【図面の簡単な説明】
【０００８】
【図１】本発明の斜視成形図
【図２】本発明の応用例斜視図
【図３】本発明の平面図
【図４】本発明の立面図
【符号の説明】
【０００９】１、  長椅子
２、  手すり
３、  横の歩く補助手すり
４、  縦の立ちあがりや座り用の手すり
５、  床、畳の上でも転がらない為の補助土台フラットバー
６、  ５を包みゴザピンや両面テープで固定する為の包装被
７、  畳固定の場合に使用するゴザピン、床はもくネジを示す
８、  １の前台輪、後台輪ではい上がる時の手すり仕様となる
９、  長椅子の座板
１０、  ２の縦の滑り止め付いている部分の手すり
１１、  畳
１２、  長椅子座面より低い床面よりはい上がるための手すり
１３    長椅子より低い手すり（２）に含まれる縦の滑り止め付手すり
１４    長椅子とほぼ同じ高さで手すり（２）に含まれるの横貫手すり
【図１】
2005052586.tif 000003
【図２】
2005052586.tif 000004
【図３】
2005052586.tif 000005
【図４】
2005052586.tif 000006